(57)【要約】      （修正有）【課題】走査品質を効果的に確保できる走査装置を提供する。【解決手段】この走査装置は走査プラットフォーム１、進紙ロール２、第１弾性部品３及び第２弾性部品４を包含する。該走査プラットフォーム１は片状媒体を読み取れる。進紙ロール２は走査プラットフォーム１に接触するよう設置されて回転し並びに片状媒体を駆動し移動させる。第１弾性部品３は走査プラットフォーム１の走査方向の一端に設置され、並びに走査プラットフォーム１に力を印加し、走査プラットフォーム１を進紙ロール２に押し当てる。第２弾性部品４は走査プラットフォーム１の他端に設けられて第１弾性部品３に対向し、並びに力を走査プラットフォーム１に印加し、走査プラットフォーム１を進紙ロール２に押し当てる。【選択図】図３
0003180983.tif 000002
【実用新案登録請求の範囲】
【請求項１】
第１類片状媒体及び該第１類片状媒体よりも厚い第２類片状媒体を包含する片状媒体を、内部に挿入するのに用いられる長溝状の進紙口を具えた走査装置において、
走査プラットフォームであって、片状媒体を読み取ることができ、且つブロック状を呈し、その長辺方向がその走査方向と定義され、すなわち進紙口の長辺方向が走査方向とされ、該走査プラットフォームは該走査方向に沿って、片状媒体上のそのうち一面の画像を順に獲得する、上記走査プラットフォームと、
進紙ロールであって、該走査プラットフォームと接触するように設置され、回転して片状媒体を駆動し移動させることができる、上記進紙ロールと、
第１の弾性部品であって、該走査プラットフォームの走査方向の一端に設けられ、並びに力を走査プラットフォームに印加し、走査プラットフォームを進紙ロールに押し当てる、上記第１の弾性部品と、
第２の弾性部品であって、該走査プラットフォームの走査方向の他端に設けられ、並びに該第１の弾性部品に対向し、並びに力を走査プラットフォームに印加し、走査プラットフォームを進紙ロールに押し当て、該第１の弾性部品が該走査プラットフォームに印加する力は該第２の弾性部品が該走査プラットフォームに印加する力より大きい、上記第２の弾性部品と、
を包含し、
走査を実行する時、該第１の弾性部品及び該第２の弾性部品が該走査プラットフォームに印加する力により、該走査プラットフォームが該進紙ロールに押し当てられ、該片状媒体が該進紙ロールにより駆動され、該走査プラットフォームにより該片状媒体のそのうち一面の画像が読み取られることを特徴とする、走査装置。
【請求項２】
請求項１記載の走査装置において、該第１の弾性部品に接近する側壁が、該片状媒体を揃える基準端とされることを特徴とする、走査装置。
【請求項３】
請求項２記載の走査装置において、該第１の弾性部品と該第２の弾性部品がいずれもバネとされ、且つ該第１の弾性部品のバネ定数は、該第２の弾性部品のバネ定数よりも大きいことを特徴とする、走査装置。
【請求項４】
請求項３記載の走査装置において、該第１の弾性部品のバネの線材直径は、該第２の弾性部品のバネの線材直径より大きいことを特徴とする、走査装置。
【請求項５】
請求項３記載の走査装置において、該第１の弾性部品のバネの外径は、該第２の弾性部品のバネの外径より小さいことを特徴とする、走査装置。
【請求項６】
請求項３記載の走査装置において、該第１の弾性部品の、バネが同じピッチを保持できる有効巻数は、該第２の弾性部品のバネの有効巻数より大きいことを特徴とする、走査装置。
【請求項７】
第１類片状媒体及び該第１類片状媒体よりも厚い第２類片状媒体を包含する片状媒体を、内部に挿入するのに用いられる長溝状の進紙口を具えた走査装置において、
走査プラットフォームであって、片状媒体を読み取ることができ、且つブロック状を呈し、その長辺方向がその走査方向と定義され、すなわち進紙口の長辺方向が走査方向とされ、該走査プラットフォームは該走査方向に沿って、片状媒体上のそのうち一面の画像を順に獲得する、上記走査プラットフォームと、
進紙ロールであって、該走査プラットフォームと接触するように設置され、回転して片状媒体を駆動し移動させることができる、上記進紙ロールと、
第１の弾性部品であって、該走査プラットフォームの走査方向の一端に設けられ、並びに力を走査プラットフォームに印加し、走査プラットフォームを進紙ロールに押し当てる、上記第１の弾性部品と、
第２の弾性部品であって、該走査プラットフォームの走査方向の他端に設けられ、並びに該第１の弾性部品に対向し、並びに力を走査プラットフォームに印加し、走査プラットフォームを進紙ロールに押し当て、該第１の弾性部品が該走査プラットフォームに印加する力は該第２の弾性部品が該走査プラットフォームに印加する力に等しく、該走査プラットフォームの該第１の弾性部品に接近する側壁は片状媒体を揃える基準端とされ、且つ該第１の弾性部品と基準端の間距は、該第２の弾性部品と他端との距離より小さい、上記第２の弾性部品と、
を包含し、
走査を実行する時、該第１の弾性部品及び該第２の弾性部品が該走査プラットフォームに印加する力により、該走査プラットフォームが該進紙ロールに押し当てられ、該片状媒体は該進紙ロールにより駆動され、該走査プラットフォームにより該片状媒体のそのうち一面の画像が読み取られることを特徴とする、走査装置。
【請求項８】
請求項７記載の走査装置において、該第１の弾性部品と該第２の弾性部品がいずれもバネとされ、且つ該第１の弾性部品のバネ定数は、該第２の弾性部品のバネ定数に等しいことを特徴とする、走査装置。
【考案の詳細な説明】
【技術分野】
【０００１】
本考案は一種の走査システムに係り、特に、一種の走査の品質を有効に確保できる走査装置に関する。
【背景技術】
【０００２】
文献資料の十分に便利且つスピーディーな使用、保存及び発布のために、現在、多くの応用が光学スキャナを必要としている。光学スキャナは紙をキャリアとし、文字或いはイメージを電子形式に変換して後続のデータ処理に便利とする。携帯式のスキャナはその体積が小さく、そのため携帯に便利な長所を有する。
【０００３】
図１と図２は、周知の一種の携帯式の走査装置を示し、それは、走査プラットフォーム９１を包含し、該走査プラットフォーム９１の上方に、進紙ロール９２が設けられている。走査プラットフォーム９１の下方の両端に接近する部分に、それぞれバネ９３が設けられている。周知の携帯式の走査装置は、体積が小さいことを考慮し、外部の大型進紙カートリッジと導紙装置は設置されておらず、ゆえに、文献全体を中に置いて走査することはできず、このため文献走査時には、文献を進紙口９０の一端に近接させ、文献の走査過程中での歪みを減らす。図１及び図２中の携帯式走査装置は右端が基準端とされ、すなわち、文献は進紙口の右端に当接するようにして進入させられる。
【０００４】
基準端に接近するバネは第１バネと定義し、他端のバネは第２バネと定義する。走査プラットフォーム９１の長辺の中心線は対称中心とされ、二つのバネ９３は対称位置に位置し、且つ二つのバネ９３は同じバネとされる。
【０００５】
走査過程を開始する時、使用者は、紙を進紙口に入れて紙を進紙ロール９２と走査プラットフォーム９１の間に導入する。二つのバネ９３が走査プラットフォーム９１に突き当たるため、走査プラットフォーム９１と進紙ロール９２が紙をはさみつけ、これにより、給紙ロール９２が紙に対して摩擦力を発生し、給紙ロール９２が回転して紙を駆動する。同時に、走査プラットフォーム９１が走査方向に沿って、すなわち、走査プラットフォーム９１の長辺方向に、順に文献のそのうち一面の画像を獲得する。
【０００６】
上述の周知の携帯式走査装置は、一般の紙類の文献を走査する時、一般の紙類文献の厚さはいずれも非常に薄く、約０．１ｍｍであり、紙類文献の力を受ける区域は、平均した正方向力を得て、進紙走査過程中に厳重な歪みは発生しない。しかし、厚さが比較的厚い小サイズの片状媒体を走査する時、特に身分証、デビットカード等のカードを走査する時は、カードは比較的硬く且つ厚さが厚いため、走査プラットフォーム９１のカードの基準端より離れた下角部分を支点としてゆがみを発生させ得る。
【０００７】
図２に示されるように、二つの同じバネ９３が走査プラットフォーム９１に力を加えるが、却って異なるモーメントアームＬ１とＬ２を有するため、走査プラットフォーム９１が第２バネ部分で受けるトルクは第１バネ部分が受けるトルクより大きく、走査プラットフォーム９１が時計回り方向に、静力平衡に至るまで微小角度回転し、すなわち、基準端の走査プラットフォーム９１とカードの間に間隙が発生し、このために進紙ロール９２がカードを駆動して全身させる摩擦力が不均一となり、このため、走査された画像が歪む。
【０００８】
以上の欠点を鑑み、周知の携帯式の走査装置は改良の必要がある。
【考案の概要】
【考案が解決しようとする課題】
【０００９】
本考案の目的は、走査品質を効果的に確保できる走査装置を提供することにある。
【課題を解決するための手段】
【００１０】
上述の目的を達成するため、本考案の走査装置は、進紙口を具え、該進紙口は片状媒体を該走査装置内に導入するのに用いられ、該進紙口は長溝状に形成され、該片状媒体は、第１類片状媒体及び第２類片状媒体を包含し、該第２類片状媒体の厚さは、第１類片状媒体より厚く、該走査装置は、
走査プラットフォームであって、片状媒体を読み取ることができ、且つブロック状を呈し、その長辺方向がその走査方向と定義され、すなわち進紙口の長辺方向が走査方向とされ、該走査プラットフォームは該走査方向に沿って、片状媒体上のそのうち一面の画像を順に獲得する、上記走査プラットフォームと、
進紙ロールであって、該走査プラットフォームと接触するように設置され、回転して片状媒体を駆動し移動させることができる、上記進紙ロールと、
第１の弾性部品であって、該走査プラットフォームの走査方向の一端に設けられ、並びに力を走査プラットフォームに印加し、走査プラットフォームを進紙ロールに押し当てる、上記第１の弾性部品と、
第２の弾性部品であって、該走査プラットフォームの走査方向の他端に設けられ、並びに該第１の弾性部品に対向し、並びに力を走査プラットフォームに印加し、走査プラットフォームを進紙ロールに押し当て、該第１の弾性部品が該走査プラットフォームに印加する力は該第２の弾性部品が該走査プラットフォームに印加する力より大きい、上記第２の弾性部品と、
を包含する。
【００１１】
走査を実行する時、該第１の弾性部品及び該第２の弾性部品が該走査プラットフォームに印加する力により、該走査プラットフォームが該進紙ロールに押し当てられ、該片状媒体が該進紙ロールにより駆動され、該走査プラットフォームにより該片状媒体のそのうち一面の画像が読み取られる。
【００１２】
上述の目的を達成するため、本考案はもう一種の走査装置を提供し、それは、進紙口を具え、該進紙口は片状媒体を該走査装置内に導入するのに用いられ、該進紙口は長溝状に形成され、該片状媒体は、第１類片状媒体及び第２類片状媒体を包含し、該第２類片状媒体の厚さは、第１類片状媒体より厚く、該走査装置は、
走査プラットフォームであって、片状媒体を読み取ることができ、且つブロック状を呈し、その長辺方向がその走査方向と定義され、すなわち該  進紙口の長辺方向が走査方向とされ、該走査プラットフォームは該走査方向に沿って、片状媒体上のそのうち一面の画像を順に獲得する、上記走査プラットフォームと、
進紙ロールであって、該走査プラットフォームと接触するように設置され、回転して片状媒体を駆動し移動させることができる、上記進紙ロールと、
第１の弾性部品であって、該走査プラットフォームの走査方向の一端に設けられ、並びに力を走査プラットフォームに印加し、走査プラットフォームを進紙ロールに押し当てる、上記第１の弾性部品と、
第２の弾性部品であって、該走査プラットフォームの走査方向の他端に設けられ、並びに該第１の弾性部品に対向し、並びに力を走査プラットフォームに印加し、走査プラットフォームを進紙ロールに押し当て、該第１の弾性部品が該走査プラットフォームに印加する力は該第２の弾性部品が該走査プラットフォームに印加する力に等しく、該走査プラットフォームの該第１の弾性部品に接近する側壁は片状媒体を揃える基準端とされ、且つ該第１の弾性部品と基準端の間距は、該第２の弾性部品と他端との距離より小さい、上記第２の弾性部品と、
を包含する。
【００１３】
走査を実行する時、該第１の弾性部品及び該第２の弾性部品が該走査プラットフォームに印加する力により、該走査プラットフォームが該進紙ロールに押し当てられ、該片状媒体は該進紙ロールにより駆動され、該走査プラットフォームにより該片状媒体のそのうち一面の画像が読み取られる。
【考案の効果】
【００１４】
総合すると、本考案の走査装置は、基準端に接近する第１の弾性部品のバネ定数がもう一端の第２の弾性部品のバネ定数より大きく、厚さが比較的厚い第２類片状媒体が通過する時、第２類片状媒体の基準端より遠く離れた下角の支点両側のトルクが平衡とされるか、或いは、基準端に接近する第１の弾性部品の基準端からの距離が第２の弾性部品の、他端からの距離より小さく、第１の弾性部品が直接に走査プラットフォームに力を印加して、走査プラットフォームと進紙ロールに第２類片状媒体をはさみつけさせて、まっすぐに走査装置を通過させ、歪みの発生を減らし、これにより走査品質を有効に確保できる。
【図面の簡単な説明】
【００１５】
【図１】周知の原稿フィード式の走査装置の立体分解図である。
【図２】周知の原稿フィード式の走査装置に、サイズが小さく、硬くて厚いカードを挿入する時の断面図である。
【図３】本考案の走査装置の実施例の立体分解図である。
【図４】本考案の走査装置に厚さが比較的厚い片状媒体を挿入する時の断面図である。
【図５】本考案の走査装置のもう一つの実施例の立体分解図である。
【考案を実施するための形態】
【００１６】
本考案の技術内容、構造特徴、達成する目的を詳細に説明するため、以下に実施例を挙げ並びに図面を組み合わせて説明する。
【００１７】
図３を参照されたい。図３に示されるように、本考案の走査装置は、進紙口５を具え、該進紙口５は使用者が片状媒体を該走査装置内に挿入するのに用いられ、該進紙口５は長溝状を成す。該片状媒体は、第１類片状媒体と、第２類片状媒体６を包含し、そのうち、第２類片状媒体６の厚さは、第１類片状媒体の厚さより厚い。
【００１８】
該走査装置は、以下を包含する。
走査プラットフォーム１は、片状媒体を読み取ることができ、且つブロック状を呈し、その長辺方向がその走査方向と定義され、すなわち進紙口５の長辺方向が走査方向とされ、該走査プラットフォーム１は該走査方向に沿って、片状媒体上のそのうち一面の画像を順に獲得する。
【００１９】
進紙ロール２は、該走査プラットフォーム１と接触するように設置され、回転して片状媒体を駆動し移動させることができる。
【００２０】
第１の弾性部品３は、該走査プラットフォーム１の走査方向の一端に設けられ、並びに力を走査プラットフォーム１に印加し、走査プラットフォーム１を進紙ロール２に押し当てる。
【００２１】
第２の弾性部品４は、該走査プラットフォーム１の走査方向の他端に設けられ、並びに該第１の弾性部品３に対向し、並びに力を走査プラットフォーム１に印加し、走査プラットフォーム１を進紙ロール２に押し当て、該第１の弾性部品３が該走査プラットフォーム１に印加する力は該第２の弾性部品４が該走査プラットフォーム１に印加する力より大きい。
【００２２】
走査を実行する時、走査プラットフォーム１の第１の弾性部品３に接近する側壁が、片状媒体が揃えられる基準端とされ、片状媒体が挿入された後、第１の弾性部品３と第２の弾性部品４が走査プラットフォーム１に印加する力により、走査プラットフォーム１が進紙ロール２に押し当てられ、片状媒体が進紙ロール２により駆動され、走査プラットフォーム１が片状媒体のそのうち一面の画像を読み取る。
【００２３】
図３及び図４に示されるように、第１の実施例において、該第１の弾性部品３と第２の弾性部品４は、いずれもバネとされ、且つ第１の弾性部品３のバネ定数は、第２の弾性部品４のバネ定数より大きい。
【００２４】
厚さが比較的厚い第２類片状媒体を走査する時は、走査プラットフォーム１において、第２類片状媒体６の基準端より遠く離れた下角を支点としてゆがみを発生しないように、トルク平衡とフックの法則、Ｆ１×Ｌ１＝Ｆ２×Ｌ２に基づき、すなわち、
Ｋ１×△Ｘ１×Ｌ１＝Ｋ２×△Ｘ２×Ｌ２
そのうち、Ｌ１＜Ｌ２、△Ｘ１＝△Ｘ２であり、これにより、Ｋ１＞Ｋ２でなければならず、すなわち、第１の弾性部品３のバネ定数は、第２の弾性部品４のバネ定数より大きい。上述の条件を満足する時、支点両側のトルクは平衡し、走査プラットフォーム１はゆがみを発生せず、且つ走査プラットフォーム１と進紙ロール２が第２類片状媒体を緊密にはさみつけて、整然と走査装置を通過させる。
【００２５】
Ｋ１＞Ｋ２を満足するため、すなわち、第１の弾性部品３のバネ定数は、第２の弾性部品４のバネ定数より大きく、採用の方法は以下のとおりである。
１．その他の係数が同じ状況で、第1の弾性部品３のバネの線径（バネを製造するワイヤの直径）を第２の弾性部品４のバネの線径より大きくする。
２．その他の係数が同じ状況で、第１の弾性部品３のバネ外径（バネの最大外径）を、第２の弾性部品４のバネ外径より小さくする。
３．その他の係数が同じ状況で、第１の弾性部品３の有効巻数（バネは同じピッチの巻数）は第２の弾性部品４の有効巻数より大きくする。
【００２６】
図５を参照されたい。第２の実施例において、本考案の走査装置は、以下を包含する。
【００２７】
走査プラットフォーム１は、片状媒体を読み取ることができ、且つブロック状を呈し、その長辺方向がその走査方向と定義され、すなわち該  進紙口５の長辺方向が走査方向とされ、該走査プラットフォーム１は該走査方向に沿って、片状媒体上のそのうち一面の画像を順に獲得する。
【００２８】
進紙ロール２は、該走査プラットフォーム１と接触するように設置され、回転して片状媒体を駆動し移動させることができる。
【００２９】
第１の弾性部品３は、該走査プラットフォーム１の走査方向の一端に設けられ、並びに力を走査プラットフォーム１に印加し、走査プラットフォーム１を進紙ロール２に押し当てる。
【００３０】
第２の弾性部品４は、該走査プラットフォーム１の走査方向の他端に設けられ、並びに該第１の弾性部品３に対向し、並びに力を走査プラットフォーム１に印加し、走査プラットフォーム１を進紙ロール２に押し当てる。そのうち、該第１の弾性部品３が該走査プラットフォーム１に印加する力は該第２の弾性部品４が該走査プラットフォーム１に印加する力に等しい。
【００３１】
そのうち、該第１の弾性部品３と該第２の弾性部品４はバネとされ、且つ該第１の弾性部品３のバネ定数は該第２の弾性部品４のバネ定数に等しく、且つ第１の弾性部品３と基準端の間距が第２の弾性部品４と他端の距離より小さい。走査を実行する時、該走査プラットフォーム１の該第１の弾性部品３に接近する側壁は片状媒体を揃える基準端とされ、片状媒体の挿入後、該第１の弾性部品３と該第２の弾性部品４が走査プラットフォーム１に印加する力により、走査プラットフォーム１が進紙ロール２に押し当てられ、片状媒体は進紙ロール２により駆動され、走査プラットフォーム１により片状媒体のそのうち一面の画像が読み取られる。
【００３２】
比較的厚い第２類片状媒体６を走査する時、且つ第１の弾性部品３と基準端の間距が第２の弾性部品４と他端の距離より小さく、第２類片状媒体６が基準端に揃えられて進入し、第１の弾性部品３が発生するトルクは第２の弾性部品４が発生するトルクにほぼ等しく、走査プラットフォーム１はゆがみを発生せず、且つ走査プラットフォーム１と進紙ロール２が緊密に第２類片状媒体６をはさみつけて整然と走査装置を通過させる。
【００３３】
総合すると、本考案の走査装置は、基準端に接近する第１の弾性部品３のバネ定数が他端の第２の弾性部品４のバネ定数より大きいため、厚さが比較的圧言い第２類片状媒体６が通過する時、第２類片状媒体６の、基準端より遠く離れた下角の支点両側のトルクが平衡する。或いは、基準端に接近する第１の弾性部品３の、基準端からの距離が、第２の弾性部品４の他端からの距離より小さく、第１の弾性部品３が走査プラットフォーム１に直接力を印加して、走査プラットフォーム１と進紙ロール２に第２類片状媒体６をはさみつけさせて、第２類片状媒体６に整然と走査装置を通過させてゆがみの発生を減らし、これにより、有効に走査品質を確保できる。
【符号の説明】
【００３４】
１  走査プラットフォーム
２  進紙ロール
３  第１の弾性部品
４  第２の弾性部品
５  進紙口
６  第２類片状媒体
【図１】
0003180983.tif 000003
【図２】
0003180983.tif 000004
【図３】
0003180983.tif 000005
【図４】
0003180983.tif 000006
【図５】
0003180983.tif 000007